(57)【要約】【課題】情報表示画面にタッチ操作画面が設けられ、立体画像を表示することが可能な表示装置で、立体表示しながらタッチ操作をした場合、反応するタッチ操作反応領域と表示している画像とに差異（ギャップ）が発生し、操作しにくくなることがあった。【解決手段】表示装置に対して接触操作により、画面に複数個に区分けされた操作表示を有効または無効と判断する手段を備えて、表示装置に表示する映像を平面表示または立体表示に切り替えることが可能でありその表示に応じて、操作表示を有効または無効とする領域を表示装置に表示する映像の左右の視差に応じて変更する。【選択図】図３
2016021150.tif 000002
【特許請求の範囲】
【請求項１】
操作表示を含む映像情報が表示される表示装置と、
前記表示装置に対して接触操作による操作を検出する操作検出手段と、
前記操作検出手段によって前記表示装置の画面に複数個に区分けされた操作表示を有効または無効に判断する判断手段と、
前記表示装置に表示する映像を平面表示または立体表示に切り替える表示切り替え手段と、
前記表示切り替え手段により前記表示装置の表示に応じて、前記判断手段による有効または無効とする領域を変更する領域変更手段と、
を備えたことを特徴とする表示装置。
【請求項２】
前記領域変更手段の領域は、前記表示装置に表示する映像の左右の視差に応じて変更することを特徴とする請求項１に記載の表示装置。
【請求項３】
前記表示切り替え手段により前記表示装置に表示する場合に
前記表示装置に表示する映像の左右の視差に応じて、表示している情報（文字やアイコン）の数や位置を変更することを特徴とする請求項１に記載の表示装置。
【請求項４】
前記表示切り替え手段により前記表示装置に表示する場合に
前記表示装置に表示する映像の左右の視差に応じて、表示している情報（文字やアイコン）を拡大・縮小表示することを特徴とする請求項１に記載の表示装置。
【発明の詳細な説明】
【技術分野】
【０００１】
本発明は、情報表示画面にタッチ操作画面が設けられ、さらに左右の眼に別々の映像を見せて立体（３Ｄ）画像を表示することが可能な表示装置に関する。
【背景技術】
【０００２】
近年、人間の視差を利用して立体画像を表示する表示制御装置が商品化されている。この技術の代表的なものとして、フレームシーケンシャル方式と呼ばれる手法がある。これはまず、表示装置の同一画面上に左眼用の画像と、右眼用の画像を周期的（例えば、フレーム毎）に交互に表示する。
【０００３】
表示装置は、この周期的に交互に表示する画像と同期した同期信号を赤外線やＷｉ−Ｆｉなどの無線通信を利用して外部出力する。さらに、無線通信にて外部出力された同期信号を受信する機能を持ち、合わせて受信した同期信号に合わせて左眼と右眼の光の透過と遮断を排他的に制御するシャッター機能付き眼鏡を使用する。この機能は、アクティブシャッター方式と呼ばれている。具体的動作は、表示装置の表示画面に左眼用の画像が表示されているときは、シャッター機能付き眼鏡の左眼側を透過状態に制御し、右眼側は遮断状態になるように制御する。一方、表示装置の表示画面に右眼用の画像が表示されているときは、シャッター機能付き眼鏡の右眼側を透過状態に制御し、左眼側は遮断状態になるように制御する。
【０００４】
異なる位置や角度から撮影した画像を左眼用の画像と右眼用の画像として表示することで、視聴者は視差を感じ、立体画像として認識することができるという仕組みである。
【０００５】
一方、画像や操作表示を表示する表示装置の表示画面にタッチ操作画面を設けた情報表示装置も商品化されている。これは、画像や操作表示を表示する表示装置の表示画面に重畳配置され複数個に区分けされた各領域について個別に位置入力を行うタッチ操作画面を設けて、表示装置の表示画面に表示された操作や画像を選択指定することが可能な表示装置である。
【０００６】
このような情報表示装置において、タッチ操作による位置入力により指定された領域に複数個の表示画像が存在すると判定された場合にその指定領域に存在する表示装置の表示画像を自動拡大表示し、タッチスクリーンの互いに異なった領域に対応する位置に画面表示されるようにする表示方法の開示がある（特許文献１）。
【０００７】
さらに操作者の位置に合わせて誤操作が生じないように表示装置に表示される表示情報の表示形態を変更する表示装置の開示がある（特許文献２）。
【先行技術文献】
【特許文献】
【０００８】
【特許文献１】特開平６−１９６１３号公報
【特許文献２】特開２００６−１０３３６３号公報
【発明の概要】
【発明が解決しようとする課題】
【０００９】
しかしながら、情報表示画面にタッチ操作画面が設けられ、立体（３Ｄ）画像を表示することが可能な表示装置で、立体（３Ｄ）表示しながらタッチ操作をした場合反応するタッチ操作反応領域と表示している画像とに差異（ギャップ）が発生し、操作しにくくなることがある。
【００１０】
また、タッチ操作するための指定された領域に複数に区分けされた表示画像が重なって、操作者に表示されることになる。この場合、操作者がタッチ操作をして反応した表示が操作者の意図と異なった表示画面になることがある。
【課題を解決するための手段】
【００１１】
そこで、上記課題を解決するために本発明の表示装置は、表示画面に表示する映像を平面表示から立体表示に切り替えると、表示装置の表示画面に表示する映像の左右の視差に応じて操作を有効または無効とする領域を切り替えることを特徴とする。
【発明の効果】
【００１２】
本発明によれば、表示装置に表示する映像を平面表示から立体表示に切り替える場合に、その表示に応じて操作表示を有効または無効とする領域を立体表示するための左眼用の画像と右眼用の画像との視差に応じて変更することにより、操作者がタッチした時に違和感の無い操作が可能となる。
【図面の簡単な説明】
【００１３】
【図１】本発明を実現するための構成図
【図２】本発明を実現するためのフローチャート
【図３】本発明を各種実施例を実施した時の表示と操作反応領域図
【発明を実施するための形態】
【００１４】
＜第１の実施形態＞
図１は、本発明の各実施形態を適用可能な表示装置の構成図を示す。図１において、１００は本発明の各実施形態を適用可能な表示装置である。図１の表示装置１００において、内部バス１１０に対してＣＰＵ１０１、フラッシュメモリ１０２、メモリ１０３、ハードディスクドライブ（ＨＤＤ）１０４が接続される。さらに内部バス１１０に対して、表示制御部１０５、操作検出部１０８、視差検出部１０９が接続される。内部バス１１０に接続される各部は、内部バス１１０を介して互いにデータのやりとりを行うことができるようにされている。ハードディスクドライブ１０４には映像データ、フラッシュメモリ１０２にはＣＰＵ１０１が動作するための各種プログラムなどが格納される。
【００１５】
メモリ１０３は、例えばＲＡＭからなる。ＣＰＵ１０１は、例えばフラッシュメモリ１０２に格納されるプログラムに従い、メモリ１０３をワークメモリとして用いて、この表示装置１００の各部を制御する。なお、ＣＰＵ１０１が動作するためのプログラムは、フラッシュメモリ１０２に格納されるのに限らず、例えば図示されないＲＯＭに予め記憶しておいてもよい。ＫＥＹ入力部１０７は、操作者の操作を受け付け、操作に応じた制御信号を生成し、ＣＰＵ１０１に供給する。ＣＰＵ１０１は、操作者の操作に応じてＫＥＹ入力部１０７で生成され供給される制御信号に基づき、プログラムに従いこの表示装置１００の各部を制御する。これにより、表示装置１００に対し、操作者の操作に応じた動作を行わせることができる。
【００１６】
表示制御部１０５は、ディスプレイ１０６に対して情報を表示させるための表示信号を出力する。例えば、表示制御部１０５に対して、ＣＰＵ１０１がプログラムに従い生成した表示制御信号が供給する。表示制御部１０５は、この表示制御信号に基づき表示信号を生成してディスプレイ１０６に対して出力する。ディスプレイ１０６は、表示制御部１０５から出力された表示信号に基づき画面を表示する。さらにディスプレイ１０６は、平面表示と立体表示の表示画面を表示制御部１０５からの制御信号に応じて切り替えて表示することが可能である。
【００１７】
ディスプレイ１０６は、タッチパネル機能も備えている。すなわちディスプレイ１０６に操作者が接触すると操作検出部１０８で操作者の接触に応じた制御信号を生成する。ＣＰＵ１０１は、操作検出部１０８により生成された制御信号に基づき、操作者のタッチパネルへの以下の操作を検出できる。タッチパネルを指やペンで触れたこと（以下、タッチダウンと称する）。タッチパネルを指やペンで触れている状態であること（以下、タッチオンと称する）。タッチパネルを指やペンで触れたまま移動していること（以下、ムーブと称する）。タッチパネルへ触れていた指やペンを離したこと（以下、タッチアップと称する）。タッチパネルに何も触れていない状態（以下、タッチオフと称する）。
【００１８】
これらの操作や、タッチパネル上に指やペンが触れている位置座標は内部バス１１０を通じてＣＰＵ１０１に通知され、ＣＰＵ１０１は通知された情報に基づいてタッチパネル上にどのような操作が行なわれたかを判定する。
【００１９】
ムーブについてはタッチパネル上で移動する指やペンの移動方向についても、位置座標の変化に基づいて、タッチパネル上の垂直成分・水平成分毎に判定できる。またタッチパネル上をタッチダウンから一定のムーブを経てタッチアップをしたとき、ストロークを描いたこととする。
【００２０】
素早くストロークを描く操作をフリックと呼ぶ。フリックは、タッチパネル上に指を触れたままある程度の距離だけ素早く動かして、そのまま離すといった操作であり、言い換えればタッチパネル上を指ではじくように素早くなぞる操作である。所定距離以上を、所定速度以上でムーブしたことが検出され、そのままタッチアップが検出されるとフリックが行なわれたと判定できる。また、所定距離以上を、所定速度未満でムーブしたことが検出された場合はドラッグが行なわれたと判定するものとする。
【００２１】
タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００２２】
視差制御部１０９は、ＣＰＵ１０１のプログラムに従い、ハードディスクドライブ（ＨＤＤ）１０４からの情報を内部バス１１０を介して互いにやり取りを行う。さらにやり取りをした情報の中に映像データの有無と視差情報の有無を判別して、これらの情報を付加して視差情報制御信号としてＣＰＵ１０１に供給する。
【００２３】
図２は、本発明の本発明の実現するためのフローチャートである。図２において、表示装置１００はハードディスク１０４からの情報をディスプレイ１０６に情報表示するには、ステップＳ１００から開始する。
【００２４】
ステップＳ１０１において、ＣＰＵ１０１はプログラムに従い、視差制御部１０９にハードディスク１０４からの情報を読みださせる。視差制御部１０９は、ハードディスク１０４から読み込んだ情報を解析し視差情報制御信号をＣＰＵ１０１に供給する。すなわち視差制御部１０９は、
ハードディスク１０４から読み込んだ情報を映像情報と判断した場合には、視差情報制御信号に映像信号であることを付加して、ＣＰＵ１０１に供給する。視差制御部１０９は、ハードディスク１０４から読み込んだ情報を映像情報ではないと判断した場合には、視差情報制御信号に映像信号ではないことを付加して、ＣＰＵ１０１に供給する。
【００２５】
ＣＰＵ１０１は、視差制御部１０９からの視差制御信号により画像ではないと判断した場合には、ステップＳ１１１に進む。ステップＳ１１１で、ＣＰＵ１０１は表示制御部１０５に対して、画像情報ではない平面表示するための表示制御信号を供給する。表示制御部１０５は、この表示制御信号に基づき表示信号を生成してディスプレイ１０６に対して出力する。ディスプレイ１０６は、表示制御部１０５から出力された表示信号に基づき平面表示画面を表示しステップＳ１１０に進む。ステップＳ１１０において、ＣＰＵ１０１は、表示装置１００のディスプレイ１０６の表示画面に重畳配置され複数個に区分けされた各領域の有効領域で、操作検出部１０８により生成された制御信号を判断する。これによりＣＰＵ１０１は、操作者のタッチパネルへの操作を検出する。このときにＣＰＵ１０１は、操作検出部１０８により生成された制御信号に基づき、平面表示の操作有効領域で操作者のタッチパネルへの操作を検出しステップＳ１００に進む。
【００２６】
ＣＰＵ１０１が、視差制御部１０９からの視差制御信号により画像であると判断した場合には、ステップＳ１０２に進む。ステップＳ１０２において、ＣＰＵ１０１は、ＫＥＹ入力部１０７で生成され供給される制御信号に基づき、操作者からディスプレイ１０６に表示する情報表示画面を平面表示にするか立体表示にするかを判断する。
【００２７】
なお、ステップＳ１０２において、ＣＰＵ１０１はＫＥＹ入力部１０７からの制御信号ではなく操作検出部１０８で生成され供給される制御信号で判断することも可能である。ステップＳ１０２において、ＣＰＵ１０１が、操作者が表示装置に表示する画面を平面表示にすると判断した場合には、ステップＳ１１１に進む。ステップＳ１０２において、ＣＰＵ１０１が、操作者が表示装置に表示する画面を立体表示にすると判断した場合には、ステップＳ１０３に進む。
【００２８】
ステップＳ１０３において、視差制御部１０９はハードディスクドライブ（ＨＤＤ）１０４から読み込んだ情報に視差情報が存在すると判断した場合には、これらの情報を付加した視差情報制御信号をＣＰＵ１０１に供給しステップＳ１０４に進む。
【００２９】
ステップＳ１０３において、視差制御部１０９はハードディスクドライブ（ＨＤＤ）１０４から読み込んだ情報に視差情報がないと判断した場合には、ステップＳ１１２に進む。ステップＳ１１２において視差制御部１０９は、視差情報を作成してこれらの情報を付加した視差情報制御信号をＣＰＵ１０１に供給しステップＳ１０４に進む。
【００３０】
ステップＳ１０４において、ＣＰＵ１０１は表示制御部１０５に対して、視差制御部１０９から供給された視差制御信号に基づいて立体表示するための表示制御信号を供給する。表示制御部１０５は、この表示制御信号に基づき表示信号を生成してディスプレイ１０６に対して出力する。ディスプレイ１０６は、表示制御部１０５から出力された表示信号に基づき立体表示画面を表示しステップＳ１０５に進む。
【００３１】
ステップＳ１０５において、ＣＰＵ１０１は操作検出部１０８により生成された制御信号に基づき操作者のタッチパネルへ操作を検出する。このときにＣＰＵ１０１は、視差制御部１０９から供給された視差制御情報の視差に基づいて、操作検出部１０８により生成された制御信号に基づき操作者のタッチパネルへ操作を検出する有効領域を判断する。例えば、図３ａに示すようＣＰＵ１０１は、表示装置１００のディスプレイ１０６の表示画面に重畳配置され複数個に区分けされた各領域の有効領域を視差制御信号の視差情報に応じて、操作検出部１０８により生成された制御信号を判断する。これによりＣＰＵ１０１は、操作者のタッチパネルへの操作を検出する。
【００３２】
以上、本発明をその好適な実施形態に基づいて詳述してきたが、本発明はこれら特定の実施形態に限られるものではなく、この発明の要旨を逸脱しない範囲の様々な形態も本発明に含まれる。
【００３３】
すなわち、本発明はパーソナルコンピュータなどの電子機器に適用してもよい。すなわちメモリーカードなどのパーソナルコンピュータが読み取り可能な記憶媒体に記憶された撮影画像をパーソナルコンピュータの有する液晶画面表示装置などディスプレイにマルチ再生表示する際にも、本発明は適用可能である。さらに撮像再生装置や携帯電話端末、携帯型のゲーム機、画像ビューワ、プリンタ装置に設けられた印刷画像選択及び確認のための表示装置、デジタルフォトフレームなど、画像を表示可能であり表示画面を接触することにより操作することが可能な表示装置であれば、本発明は適用可能である。
【００３４】
さらに上述の実施形態の一部を適宜組み合わせてもよい。
【００３５】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００３６】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００３７】
その場合、プログラムの機能を有していれば、オブジェクトコード、インタプリタにより実行されるプログラム、ＯＳに供給するスクリプトデータ等、プログラムの形態を問わない。
プログラムを供給するための記録媒体としては、例えば、ハードディスク、磁気テープ等の磁気記録媒体、光／光磁気記憶媒体、不揮発性の半導体メモリでもよい。
【００３８】
また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【００３９】
＜第２の実施形態＞
図３ｂに本発明を実施する実施形態の第２の実施形態を示す。図２に示したフローチャートのステップＳ１０５において、表示装置１００がディスプレイ１０６に画面を立体表示する場合に、視差に応じて一画面に表示する情報の数を増減して表示してもよい。この表示の変更に応じてＣＰＵ１０１は、操作検出部１０８により生成された制御信号に基づき、操作者のタッチパネルへの操作有効領域を変更し判断する。これによりＣＰＵ１０１は、操作者のタッチパネルへの操作を検出する。
【００４０】
＜第３の実施形態＞
図４ｃに本発明を実施する実施形態の第３の実施形態を示す。図２に示したフローチャートのステップＳ１０５において、表示装置１００がディスプレイ１０６に画面を立体表示する場合に、視差に応じて一画面に表示する情報を拡大・縮小して表示してもよい。この表示の変更に応じてＣＰＵ１０１は、操作検出部１０８により生成された制御信号に基づき、操作者のタッチパネルへの操作有効領域を変更し判断する。これによりＣＰＵ１０１は、操作者のタッチパネルへの操作を検出する。
【符号の説明】
【００４１】
１００  表示装置、１０１  ＣＰＵ、１０２  フラッシュメモリ、１０３  メモリ、
１０４  ハードディスクドライブ、１０５  表示制御装置、１０６  ディスプレイ、
１０７  ＫＥＹ入力部、１０８  操作検出部、１０９  視差制御部、１１０  内部バス
【図１】
2016021150.tif 000003
【図２】
2016021150.tif 000004
【図３】
2016021150.tif 000005